(57)【要約】【課題】走査線の副走査方向の傾きを、母線のずれを極力小さくするとともに、収差の劣化などの副作用を伴うことなく補正できる光走査光学装置を得る。【解決手段】レーザダイオードから放射された光束をポリゴンミラーで主走査方向偏向し、偏向された光束を複数のミラーを介して感光体５０上に結像させる光走査光学装置。ミラー２２はその両端部がホルダ３０に設けた台座部３１に当接して、かつ、中央部分に設けた凸形状部２７がホルダに設けた台座部３２に当接して位置決め保持されている。さらに、ミラー２２は台座部３１，３２に向かって弾性的に押圧されている。ミラー２２はホルダ３０に取り付けた調整ねじ３４によって凸形状部２７を中心として回転することにより、走査線の副走査方向の傾きを調整される。【選択図】図２
2012048117.tif 000002
【特許請求の範囲】
【請求項１】
光束を放射する光源と、
前記光源から放射された光束を主走査方向に偏向する偏向器と、
前記偏向器で偏向された光束を感光体上に結像させるための複数の光学素子と、
前記光学素子を保持固定する保持部材と、
を備え、
前記複数の光学素子のうち少なくとも一つの反射光学素子は、前記保持部材に設けた複数の台座部によって位置決め保持されているとともに、走査線の傾きを補正するために回転調整可能に保持されており、
前記反射光学素子は、光学性能有効領域内に凸形状部を有し、該凸形状部は該反射光学素子を回転調整する際の回転中心に配置されていること、
を特徴とする光走査光学装置。
【請求項２】
前記凸形状部は前記反射光学素子の光学性能有効領域の略中央に配置されていること、を特徴とする請求項１に記載の光走査光学装置。
【請求項３】
前記凸形状部は前記保持部材に設けた台座部に３点で接触して位置決めされていること、を特徴とする請求項１又は請求項２に記載の光走査光学装置。
【請求項４】
前記凸形状部は、略半球形状又は先端部が略半球形状であること、を特徴とする請求項１、請求項２又は請求項３に記載の光走査光学装置。
【請求項５】
前記反射光学素子は、前記凸形状部以外の少なくとも３箇所で前記保持部材に対して弾性的に押圧保持されており、この押圧保持箇所は前記凸形状部を囲むように配置されていること、を特徴とする請求項１、請求項２、請求項３又は請求項４に記載の光走査光学装置。
【発明の詳細な説明】
【技術分野】
【０００１】
本発明は、光走査光学装置、特に、電子写真方式によるプリンタや複写機に搭載されて感光体上に静電潜像を形成する光走査光学装置に関する。
【背景技術】
【０００２】
この種の光走査光学装置では、光学素子の材質に起因する素子内部の歪み、製造上の誤差、組立て誤差などによって走査線が副走査方向に傾いてしまうという問題点を有していた。そのため、従来では、回動軸を有するホルダに光学素子を固定し、回動軸を中心としてホルダを回転させることにより、走査線の傾きを補正するようにしていた。
【０００３】
しかし、前記従来の解決策では、回動軸をホルダの一端部に設け、他端部を回動させて補正を行うため、補正によって光学素子の母線が副走査方向に大きくずれることになり、例えば、像面上で走査線の主走査方向中央部分が副走査方向に移動したり、球面収差が発生してしまう。
【０００４】
そこで、特許文献１には、走査レンズを回動ガイド装置を介してレンズホルダに設置し、回動ガイド装置はレンズに設けられた可動ガイド部と、ホルダに設けられた固定ガイド部とを含み、可動ガイド部はレンズへの光束入射域外においてレンズに設けられ、可動ガイド部と固定ガイド部は、レンズが母線を通る光軸を中心として可動ガイド部と一体的な回動調整を可能とし、母線の副走査方向のずれを防止するようにした光走査光学装置が記載されている。
【０００５】
しかし、前記光走査光学装置では、可動ガイド部の半径が大きく、レンズを回動調整する際に、可動ガイド部と固定ガイド部の摩擦力によるレンズの回動調整に逆らう回転モーメントが大きなり、レンズの回動調整に要する力量が増加するため、レンズに歪みが生じやすく、また、レンズが摺動する距離が長くなるため、引っかかりなどが発生するおそれが高くなってしまう。また、回動調整における回動中心を円筒形状と穴との嵌合で行ったり、回動軸をＶ溝などの平面部に押圧固定する場合は、嵌合部のガタつきや回動軸の軸倒れによって、回動調整時に回動中心のずれやレンズの傾きが生じてしまい、収差など光束精度の劣化が生じてしまう。
【先行技術文献】
【特許文献】
【０００６】
【特許文献１】特開２０００−７５２３２号公報
【発明の概要】
【発明が解決しようとする課題】
【０００７】
そこで、本発明の目的は、走査線の副走査方向の傾きを、母線のずれを極力小さくするとともに、収差の劣化などの副作用を伴うことなく補正できる光走査光学装置を提供することにある。
【課題を解決するための手段】
【０００８】
本発明の一形態である光走査光学装置は、
光束を放射する光源と、
前記光源から放射された光束を主走査方向に偏向する偏向器と、
前記偏向器で偏向された光束を感光体上に結像させるための複数の光学素子と、
前記光学素子を保持固定する保持部材と、
を備え、
前記複数の光学素子のうち少なくとも一つの反射光学素子は、前記保持部材に設けた複数の台座部によって位置決め保持されているとともに、走査線の傾きを補正するために回転調整可能に保持されており、
前記反射光学素子は、光学性能有効領域内に凸形状部を有し、該凸形状部は該反射光学素子を回転調整する際の回転中心に配置されていること、
を特徴とする。
【０００９】
前記光走査光学装置においては、反射光学素子を回転させて走査線の傾きを補正する際、反射光学素子の回転中心となる凸形状部を光学性能有効領域内に設けたため、母線の副走査方向のシフトが低減され、凸形状部は小さな形状でよく、回転調整する際の摩擦モーメントが小さくなり、反射光学素子の歪みが小さくなり、収差が低減する。
【発明の効果】
【００１０】
本発明によれば、走査線の副走査方向の傾きを、母線のずれを極力小さくするとともに、収差の劣化などの副作用を伴うことなく補正することができる。
【図面の簡単な説明】
【００１１】
【図１】一実施形態である光走査光学装置の概略構成を示し、（Ａ）は副走査方向の光路図、（Ｂ）は主走査方向の光路図である。
【図２】前記光走査光学装置における反射光学素子の保持機構を示す正面図である。
【図３】前記反射光学素子を示す斜視図である。
【図４】前記反射光学素子のホルダを示し、（Ａ）は斜視図、（Ｂ）は平面図である。
【図５】前記反射光学素子に対する弾性押圧箇所を示す説明図である。
【発明を実施するための形態】
【００１２】
以下に、本発明に係る光走査光学装置の実施例について説明する。なお、各図において同じ部材、部分については共通する符号を付し、重複する説明は省略する。
【００１３】
（光走査光学装置の基本的構成、図１参照）
まず、光走査光学装置１の概略構成について図１（Ａ），（Ｂ）を参照して説明する。この光走査光学装置１は、概略、光源であるレーザダイオード１１、コリメータレンズ１２、アパーチャ１３、シリンドリカルレンズ１４、ミラー１５、複数の反射面を有するポリゴンミラー２０、結像走査用のミラー２１，２２，２３，２４、防塵ガラス２５にて構成されている。これらの光学素子は図示しないハウジングに搭載されている。
【００１４】
レーザダイオード１１から放射されたレーザ光束は、コリメータレンズ１２によって平行光とされた後、アパーチャ１３を通過してシリンドリカルレンズ１４を透過することで副走査方向Ｚについて収束光とされ、回転するポリゴンミラー２０の各反射面によって主走査方向Ｙに偏向され、ミラー２１〜２４（ミラー２２，２４は結像光学素子として機能する）を介して、かつ、防塵ガラス２５を介して感光体５０上に結像され、感光体５０の回転に伴って感光体５０上に２次元の静電潜像を形成する。なお、このようにして静電潜像を形成する処理は従来周知であり、詳細な説明は省略する。
【００１５】
（ミラーの保持機構、図２〜図５参照）
次に、ミラーの保持機構について説明する。以下の説明はミラー２２に関して行うが、いま一つの結像光学素子として機能するミラー２４についても同様の保持機構を採用することができることは勿論である。
【００１６】
ミラー２２は、ｚｅｏｎｅｘ（登録商標）などの樹脂から一体的に成形されたものであり、図２に示すように、ホルダ３０上に両端部分と中央部分とで支持され、矢印ａで示す方向に弾性的に押圧保持されている。具体的には、ミラー２２は、図３に示すように、４隅に小さな平坦状の位置決め座２６を有するとともに、中央部分に半球形状をなす凸形状部２７を有している。ミラー２２はその反射面のうち図３で一点鎖線で囲った領域が光学性能有効領域２２ａであり、凸形状部２７はこの光学性能有効領域２２ａの中央部分に配置されている。
【００１７】
一方、ホルダ３０は、アルミダイキャスト製であり、図４（Ａ），（Ｂ）に示すように、両端部に台座部３１を有するとともに、中央部分に三つの傾斜面３２ａを有する台座部３２を有している。さらに、ホルダ３０の一端に設けた壁部３３には調整ねじ３４が螺着されている。
【００１８】
前記ミラー２２は、前記ホルダ３０に対して、位置決め座２６をホルダ３０の台座部３１に当接させるとともに、凸形状部２７を台座部３２の傾斜面３２ａに当接させることにより位置決め保持される。そして、調整ねじ３４を進退させることにより、凸形状部２７を中心としてミラー２２を微小角度回転させることにより、感光体５０上の走査線の傾きを補正する。
【００１９】
ミラー２２は、調整時及び調整後において、図示しない板ばねに設けた突起によって図５に示す６箇所の押圧部分４１〜４６にて弾性的に押圧保持されている。押圧部分４１，４２，４３，４４はミラー２２をホルダ３０の台座部３１へ押圧し、押圧部分４５，４６はミラー２２を台座部３２へ押圧する。
【００２０】
以上の構成からなるミラー保持機構においては、ミラー２２をＹ−Ｚ平面上で回転させて走査線の傾きを補正する際、ミラー２２の回転中心となる凸形状部２７を光学性能有効領域２２ａ内に設けたため、母線の副走査方向Ｚのシフトが低減される。また、凸形状部２７は小さな形状でよく、回転調整する際の摩擦モーメントが小さくなり、ミラー２２の歪みが小さくなり、収差が低減する。しかも、凸形状部２７は、穴ではなく、傾斜面３２ａに当接させて３点支持の状態で位置決めされるため、ミラー２２を精度よく位置決めすることができる。
【００２１】
特に、凸形状部２７を光学性能有効領域２２ａの略中央に配置すること、及び、凸形状部２７を傾斜面３２ａにて３点支持することより、走査線の調整時に回転中心がずれることがなく、走査線の副走査方向Ｚに対するシフトやそれに起因する収差などの副作用がほとんど解消される。また、凸形状部２７を半球形状とすることによって、軸部を回転中心とすることによる軸倒れなどの中心ずれの発生がなくなり、調整精度が向上する。なお、凸形状部２７は半球形状に限らず、先端部が半球形状であってもよい。
【００２２】
また、ミラー２２の押圧部分４１〜４６を凸形状部２７を囲むように配置しているため、ミラー２２をホルダ３０に対して浮き上がることなく、かつ、余分な回転を防止して保持できる。なお、押圧部分は必ずしも６箇所必要なものではなく、少なくとも３箇所でミラー２２をホルダ３０に対して弾性的に押圧保持していればよい。
【００２３】
（保持機構の変形例）
なお、保持機構としては、傾斜面３２ａを有する三つの部材のうち一つをホルダ３０とは別部材で形成し、この別部材を、ミラー２２の位置補正の後に、ホルダ３０に接着あるいはねじ固定するようにしてもよい。図４（Ａ），（Ｂ）に示したように、台座部３２をホルダ３０に一体的に形成すると、凸形状部２７や台座部３１や傾斜面３２ａなどの加工精度が悪い場合、６箇所の押圧部分４１〜４６でミラー２２を押圧固定すると、ミラー２２に歪みを生じるおそれがある。凸形状部２７を保持する三つの部材のうち一つをホルダ３０に後付け可能とすることにより、凸形状部２７の保持高さを任意に調整することができ、加工精度誤差に起因するミラー２２の歪みを防止することができる。
【００２４】
（他の実施例）
なお、本発明に係る光走査光学装置は前記実施例に限定するものではなく、その要旨の範囲内で種々に変更することができる。
【００２５】
例えば、光源部に配置した光学素子や、結像光学素子の構成は任意であり、結像光学素子としてレンズを使用してもよく、光源としては複数の光束を放射するレーザダイオードアレイを使用したものであってもよい。
【産業上の利用可能性】
【００２６】
本発明は、画像形成装置に搭載される光走査光学装置に有用であり、特に、走査線の副走査方向の傾きを母線のずれを極力小さくするとともに、収差の劣化などの副作用を伴うことなく補正できる点で優れている。
【符号の説明】
【００２７】
１…光走査光学装置
１１…レーザダイオード
２０…ポリゴンミラー
２１〜２４…ミラー
２２ａ…光学性能有効領域
２６…位置決め座
２７…凸形状部
３０…ホルダ
３１，３２…台座部
３２ａ…傾斜面
３４…調整ねじ
４１〜４６…押圧部分
５０…感光体
【図１】
2012048117.tif 000003
【図２】
2012048117.tif 000004
【図３】
2012048117.tif 000005
【図４】
2012048117.tif 000006
【図５】
2012048117.tif 000007